【手続補正書】
【提出日】平成26年8月29日(2014.8.29)
【手続補正１】
【補正対象書類名】特許請求の範囲
【補正対象項目名】全文
【補正方法】変更
【補正の内容】
【特許請求の範囲】
【請求項１】
遊技球が入球可能な始動口と、
遊技球が入球可能な特定領域と、
主制御側識別情報の変動表示及び停止表示が可能な主制御側識別情報表示部と、
演出を表示可能な演出表示部と、
遊技の進行を司る主制御部と、
演出の出力制御を司る副制御部と
を備え、遊技球が流下する遊技領域上には、当該遊技領域上にある遊技球を前記特定領域へと誘導するための誘導路が設けられており、
主制御部は、
始動口への遊技球の入球に基づき、主制御側識別情報表示部で表示される主制御側識別情報の変動態様と停止識別情報とを決定する主制御側識別情報表示内容決定手段と、
主制御側識別情報表示内容決定手段が決定した変動態様に従い主制御側識別情報表示部にて主制御側識別情報を変動表示させた後、主制御側識別情報表示内容決定手段が決定した停止識別情報を表示させる制御を実行する主制御側識別情報表示制御手段と、
主制御側識別情報の停止識別情報が所定態様で停止した場合、遊技者にとって有利な特別遊技状態への移行権利を付与する特別遊技状態移行権利付与手段と、
特別遊技状態への移行権利が未行使状態である状況下、遊技球が前記特定領域に入球した場合、特別遊技状態に移行する特別遊技状態移行権利行使手段と
を備え、
副制御部は、
前記誘導路における所定位置に遊技球が到達したことを少なくとも含む所定の演出実行条件を充足した場合には、演出表示部にて所定の演出を実行可能であり、
前記所定の演出が実行された後において、前記所定の演出が実行された時点では遊技者に対して秘匿されている遊技内容が、最終的に報知されるよう構成されている
ことを特徴とするパチンコ遊技機。
【手続補正２】
【補正対象書類名】明細書
【補正対象項目名】０００６
【補正方法】変更
【補正の内容】
【０００６】
本態様に係るパチンコ遊技機は、
遊技球が入球可能な始動口と、
遊技球が入球可能な特定領域と、
主制御側識別情報の変動表示及び停止表示が可能な主制御側識別情報表示部と、
演出を表示可能な演出表示部と、
遊技の進行を司る主制御部と、
演出の出力制御を司る副制御部と
を備え、遊技球が流下する遊技領域上には、当該遊技領域上にある遊技球を前記特定領域へと誘導するための誘導路が設けられており、
主制御部は、
始動口への遊技球の入球に基づき、主制御側識別情報表示部で表示される主制御側識別情報の変動態様と停止識別情報とを決定する主制御側識別情報表示内容決定手段と、
主制御側識別情報表示内容決定手段が決定した変動態様に従い主制御側識別情報表示部にて主制御側識別情報を変動表示させた後、主制御側識別情報表示内容決定手段が決定した停止識別情報を表示させる制御を実行する主制御側識別情報表示制御手段と、
主制御側識別情報の停止識別情報が所定態様で停止した場合、遊技者にとって有利な特別遊技状態への移行権利を付与する特別遊技状態移行権利付与手段と、
特別遊技状態への移行権利が未行使状態である状況下、遊技球が前記特定領域に入球した場合、特別遊技状態に移行する特別遊技状態移行権利行使手段と
を備え、
副制御部は、
前記誘導路における所定位置に遊技球が到達したことを少なくとも含む所定の演出実行条件を充足した場合には、演出表示部にて所定の演出を実行可能であり、
前記所定の演出が実行された後において、前記所定の演出が実行された時点では遊技者に対して秘匿されている遊技内容が、最終的に報知されるよう構成されている
ことを特徴とするパチンコ遊技機である。
＜付記＞
尚、本態様とは異なる別態様について以下に列記しておくが、これらには何ら限定されることなく実施することが可能である。
本別態様に係るパチンコ遊技機は、
遊技の進行を司る主制御部と演出の出力制御を司る副制御部とを有するパチンコ遊技機であって、
主制御部が、
遊技球が入球可能な始動口と、
主制御側識別情報の変動表示及び停止表示が可能な主制御側識別情報表示部と、
始動口への遊技球の入球に基づき、主制御側識別情報表示部で表示される主制御側識別情報の変動態様と停止識別情報とを決定する主制御側識別情報表示内容決定手段と、
主制御側識別情報表示内容決定手段が決定した変動態様に従い主制御側識別情報表示部にて主制御側識別情報を変動表示させた後、主制御側識別情報表示内容決定手段が決定した停止識別情報を表示させる制御を実行する主制御側識別情報表示制御手段と、
主制御側識別情報表示内容決定手段が決定した主制御側識別情報の変動態様及び停止識別情報に関する情報に加え、主制御側識別情報の変動開始時には変動開始コマンドを、主制御側識別情報の変動終了時には変動終了コマンドを、副制御部側に送信する主制御部側情報送信手段と、
主制御側識別情報の停止識別情報が所定態様で停止した場合、遊技者にとって有利な特別遊技状態への移行権利を付与する特別遊技状態移行権利付与手段と、
遊技球が入球可能な特定領域と、
特別遊技状態への移行権利が未行使状態である状況下、遊技球が特定領域に入球した場合、特別遊技状態に移行する特別遊技状態移行権利行使手段と
を管理し、且つ、主制御部は、特別遊技状態への移行権利の行使可能期間を設けず、遊技球が特定領域に入球するまで特別遊技状態への移行権利を保持するよう構成されており、
副制御部が、
演出を表示可能な演出表示部と、
主制御部から送信された主制御側識別情報の変動態様及び停止識別情報に関する情報に基づき、演出の内容を決定する演出内容決定手段と、
演出内容決定手段が決定した演出について、主制御部側から送信される、当該演出と対応した主制御側識別情報の変動開始を伝達する変動開始コマンドを受信したことを受けて演出表示部にて当該演出の表示を開始し、主制御部側から送信される、当該演出と対応した主制御側識別情報の変動終了を伝達する変動終了コマンドを受信したことを受けて演出表示部にて当該演出の表示を終了する演出表示制御手段と
を管理するパチンコ遊技機であって、
主制御側識別情報の停止識別情報が前記所定態様でない場合には、主制御部側での主制御側識別情報の変動態様と同一時間の演出が行われ、主制御部側での主制御側識別情報の変動表示と副制御部側での演出とを同期させる一方、
主制御側識別情報の停止識別情報が前記所定態様である場合には、主制御部側での主制御側識別情報の変動態様よりも長い時間の特定演出が行われると共に、当該特定演出には、主制御側識別情報の変動態様と同一時間の第一演出と、当該第一演出の終了後に実行される第二演出とが含まれるよう構成されており、当該特定演出を実行する際、主制御部側での主制御側識別情報の変動表示と副制御部側での第一演出とを同期させて表示し、主制御部側から変動終了コマンドを受信した後に第二演出を開始するよう制御し、
特別遊技への移行権利が未行使状態である状況下であって特定領域への入球が有効であるときに特定領域に遊技球が入球した場合、第二演出が実行されている状況下であっても、当該実行されている第二演出を強制終了させるよう構成されている
ことを特徴とするパチンコ遊技機である。
＜付記＞
尚、本態様とは異なる別態様について以下に列記しておくが、これらには何ら限定されることなく実施することが可能である。
本別態様（１）は、
遊技の進行を司る主制御部（メイン基板）と演出の出力制御を司る副制御部（サブ基板）とを有するパチンコ遊技機であって、
主制御部（メイン基板）が、
遊技球が入球可能な始動口（特図始動口２１１０）と、
主制御側識別情報（特別図柄）の変動表示及び停止表示が可能な主制御側識別情報表示部（特図表示部２１３１）と、
始動口への遊技球の入球に基づき、主制御側識別情報表示部（特図表示部２１３１）で表示される主制御側識別情報（特別図柄）の変動態様と停止識別情報とを決定する主制御側識別情報表示内容決定手段（特図内容決定手段１１４１）と、
主制御側識別情報表示内容決定手段（特図内容決定手段１１４１）が決定した変動態様に従い主制御側識別情報表示部（特図表示部２１３１）にて主制御側識別情報（特別図柄）を変動表示させた後、主制御側識別情報表示内容決定手段（特図内容決定手段１１４１）が決定した停止識別情報を表示させる制御を実行する主制御側識別情報表示制御手段（特図制御手段１１５１）と、
主制御側識別情報表示内容決定手段（特図内容決定手段１１４１）が決定した主制御側識別情報（特別図柄）の変動態様及び停止識別情報に関する情報に加え、主制御側識別情報（特別図柄）の変動開始時には変動開始コマンドを、主制御側識別情報（特別図柄）の変動終了時には変動終了コマンドを、副制御部（サブ基板）側に送信する主制御部側情報送信手段（情報送信手段１２００）と、
主制御側識別情報（特別図柄）の停止識別情報が所定態様で停止した場合、遊技者にとって有利な特別遊技状態への移行権利を付与する特別遊技状態移行権利付与手段（特別遊技移行権利付与手段１１７５）と、
遊技球が入球可能な特定領域（特定領域用入球口α３）と、
特別遊技状態への移行権利が未行使状態である状況下、遊技球が特定領域（特定領域用入球口α３）に入球した場合、特別遊技状態に移行する特別遊技状態移行権利行使手段（特別遊技移行権利付与手段１１７５）と
を管理し、且つ、主制御部（メイン基板）は、特別遊技状態への移行権利の行使可能期間を設けず、遊技球が特定領域（特定領域用入球口α３）に入球するまで特別遊技状態への移行権利を保持するよう構成されており、
副制御部（サブ基板）が、
演出を表示可能な演出表示部（装図表示部２１４１）と、
主制御部（メイン基板）から送信された主制御側識別情報（特別図柄）の変動態様及び停止識別情報に関する情報に基づき、演出の内容を決定する演出内容決定手段（装図表示内容決定手段２１５２ａ−１）と、
演出内容決定手段（装図表示内容決定手段２１５２ａ−１）が決定した演出について、主制御部側（メイン基板）から送信される、当該演出と対応した主制御側識別情報（特別図柄）の変動開始を伝達する変動開始コマンドを受信したことを受けて演出表示部（装図表示部２１４１）にて当該演出の表示を開始し、主制御部（メイン基板）側から送信される、当該演出と対応した主制御側識別情報（特別図柄）の変動終了を伝達する変動終了コマンドを受信したことを受けて演出表示部（装図表示部２１４１）にて当該演出の表示を終了する演出表示制御手段（装飾図柄表示制御手段２１５２ａ）と
を管理するパチンコ遊技機であって、
主制御側識別情報（特別図柄）の停止識別情報が前記所定態様でない場合には、演出内容決定手段（装図表示内容決定手段２１５２ａ−１）は、主制御部（メイン基板）側での主制御側識別情報（特別図柄）の変動態様と同一時間の演出を選択すると共に、演出表示制御手段（装飾図柄表示制御手段２１５２ａ）は、主制御部（メイン基板）側での主制御側識別情報（特別図柄）の変動表示と副制御部（サブ基板）側での演出とを同期させる一方、
主制御側識別情報（特別図柄）の停止識別情報が前記所定態様である場合には、演出内容決定手段（装図表示内容決定手段２１５２ａ−１）は、主制御部（メイン基板）側での主制御側識別情報（特別図柄）の変動態様よりも長い時間の特定演出を選択すると共に、演出表示制御手段（装飾図柄表示制御手段２１５２ａ）は、副制御部（サブ基板）側での前記特定演出の開始タイミングを主制御部（メイン基板）側での主制御側識別情報（特別図柄）の変動タイミングと同じとし、主制御部（メイン基板）側での変動終了タイミング経過後も前記特定演出を継続可能に制御し、
主制御部側情報送信手段（情報送信手段１２００）は、特別遊技への移行権利が未行使状態である状況下、特定領域（特定領域用入球口α３）に遊技球が入球した場合、副制御部（サブ基板）側に特定領域入球情報を送信し、
演出表示制御手段（装飾図柄表示制御手段２１５２ａ）は、前記特定演出が実行されている状況下、主制御部（メイン基板）側から特定領域入球情報を受信した場合、実行されている前記特定演出を強制終了させる
ことを特徴とするパチンコ遊技機である。
ここで、遊技状態移行制御手段が、始動口（特図始動口２１１０）への入球頻度が異なる補助遊技状態への移行も実行し得る場合の好適態様を挙げる。
本別態様に係るパチンコ遊技機は、
始動口（特図始動口２１１０）に備えられた開放状態と閉鎖状態を採り得る部材であって、開放状態の際には閉鎖状態の場合と比較して遊技球が始動口（特図始動口２１１０）に入球し易い可変部材（特図始動口電動役物２１１２のチューリップ部材）と、
可変部材（特図始動口電動役物２１１２のチューリップ部材）を開閉する可変部材開閉駆動手段（特図始動口電動役物２１１２のソレノイド）と、
遊技球が入球可能な補助遊技側始動口（普図始動口２２１０）と、
補助遊技側識別情報（普通図柄）を変動表示及び停止表示可能な補助遊技側識別情報表示部（普通図柄表示装置２２２０）と、
補助遊技側始動口（普図始動口２２１０）への遊技球の入球に基づき、可変部材（特図始動口電動役物２１１２のチューリップ部材）の開状態駆動に係る補助遊技側乱数を取得する補助遊技側乱数取得手段（普図乱数取得判定実行手段１１２２）と、
補助遊技側乱数に基づき、補助遊技側識別情報（普通図柄）の停止識別情報を決定する補助遊技側識別情報表示内容決定手段（普図内容決定手段１１４２）と、
補助遊技側識別情報表示内容決定手段（普図内容決定手段１１４２）により決定された表示内容に従い、補助遊技側識別情報表示部（普通図柄表示装置２２２０）で補助遊技側識別情報（普通図柄）を所定時間変動表示した後、停止識別情報を表示するよう制御する補助遊技側識別情報表示制御手段（普図制御手段１１５２）と、
補助遊技側識別情報（普通図柄）の停止識別情報が所定の態様である場合、可変部材（特図始動口電動役物２１１２のチューリップ部材）を開放状態とするよう駆動制御する可変部材駆動制御手段（電チュー開閉制御手段１１６０）と
を有している。
そして、遊技状態移行制御手段は、
当否抽選手段（当否抽選手段１１３５）による抽選結果が当選である場合、当該当選に基づく特別遊技状態終了後に、補助遊技側通常遊技状態時と比較して可変部材（特図始動口電動役物２１１２のチューリップ部材）が相対的に開放状態となり易い補助遊技側特定遊技状態（普図側の時間短縮遊技状態）に移行するか否か及び／又は当該状態の継続期間を決定する補助遊技側特定遊技内容決定手段（特定遊技制御手段１１８０）と、
特別遊技状態が終了した後、補助遊技側特定遊技内容決定手段（特定遊技制御手段１１８０）により特定遊技状態への移行が決定されている場合には、特定遊技状態に移行する補助遊技側特定遊技移行制御手段（特定遊技制御手段１１８０）と
を有しており、
補助遊技側特定遊技内容決定手段（特定遊技制御手段１１８０）は、貯留機構（貯留機構α）の貯留解除時又は特定領域（特定領域用入球口α３）への入球時における補助遊技側の遊技状態に基づき、補助遊技側特定遊技状態に移行するか否か及び／又は当該状態の継続期間を決定する。
本別態様（２）は、
演出内容決定手段（装図表示内容決定手段２１５２ａ−１）は、前記特定演出を決定する際、主制御側識別情報（特別図柄）の変動態様と同一時間の第一演出（第１特定態様）と、当該第一演出（第１特定態様）の終了後に実行される第二演出（第２特定態様）とを決定し、
演出表示制御手段（装飾図柄表示制御手段２１５２ａ）は、前記特定演出を実行する際、主制御部（メイン基板）側での主制御側識別情報（特別図柄）の変動表示と副制御部（サブ基板）側での第一演出（第１特定態様）とを同期させて表示し、主制御部（メイン基板）側から変動終了コマンドを受信したタイミングにて第二演出（第２特定態様）を開始する、前記別態様（１）のパチンコ遊技機である。
本別態様（３）は、
演出表示制御手段（装飾図柄表示制御手段２１５２ａ）は、副制御部（サブ基板）側で前記特定演出が実行されている状況下では、主制御部（メイン基板）側から変動終了コマンドを受信した場合であっても前記特定演出の実行を継続する、前記別態様（１）のパチンコ遊技機である。
本別態様（４）は、
主制御部側情報送信手段（情報送信手段１２００）は、主制御側識別情報（特別図柄）のある変動が実行される際、当該変動が終了した後に表示される停止識別情報が前記所定態様である場合、当該変動が終了したタイミングでは変動終了コマンドを副制御部（サブ基板）側に送信しない、前記別態様（１）のパチンコ遊技機である。
ここで、本別態様が適用される好適なパチンコ遊技機は、
遊技球が流入可能な始動入球口（特図始動口２１１０）、
第一識別情報（特別図柄）を変動表示及び停止表示可能な第一識別情報表示部（特図表示部２１３１）、
開状態と閉状態を採り得る可変入賞口（大入賞口２１２０）、
前記始動入球口（特図始動口２１１０）への遊技球の流入に基づき、第一乱数を取得する第一乱数取得手段（特図乱数取得判定実行手段１１２１）、
前記第一識別情報変動開始条件を充足した場合、前記第一乱数に基づき、第一識別情報（特別図柄）の表示内容を決定する第一識別情報表示内容決定手段（特図内容決定手段１１４１）、
前記第一識別情報表示内容決定手段（特図内容決定手段１１４１）により決定された第一識別情報（特別図柄）の前記表示内容に従い、前記第一識別情報（特別図柄）を変動表示した後に停止識別情報を前記第一識別情報表示部（特図表示部２１３１）に表示するよう制御する第一識別情報表示制御手段（特図制御手段１１５１）、
前記第一識別情報（特別図柄）に係る前記停止識別情報が所定態様である場合、前記可変入賞口（大入賞口２１２０）を開状態とする特別遊技状態への移行権利を付与する特別遊技状態移行権利付与手段（特別遊技移行権利付与手段１１７５）、
特別遊技状態への移行権利が未行使状態である状況下、特定領域用入球口（特定領域）α３に遊技球が入球した場合、特別遊技状態に移行する特別遊技状態移行権利行使手段（特定遊技移行権利行使手段（特別遊技移行権利行使手段１１７６）、及び
前記特別遊技権利行使手段（特別遊技移行権利行使手段１１７６）が特別遊技状態へ移行権利を行使することを決定した場合、前記可変入賞口（大入賞口２１２０）を開状態とする特別遊技を実行する特別遊技実行手段（特別遊技実行手段１１７３）
を管理する主遊技部（メイン基板）と、
第二識別情報（装飾図柄）を変動表示及び停止表示可能な第二識別情報表示部（装図表示部２１４１）、
前記第一識別情報表示内容決定手段（特図内容決定手段１１４１）が決定した前記第一識別情報（特別図柄）の表示内容に基づき、第二識別情報（装飾図柄）の表示内容を決定する第二識別情報表示内容決定手段（装図表示内容決定手段２１５２ａ−１）、及び
前記第二識別情報表示内容決定手段（装図表示内容決定手段２１５２ａ−１）が決定した表示内容に基づき、前記第二識別情報表示部（装図表示部２１４１）上で前記第二識別情報（装飾図柄）の表示を実行するよう制御する、第二識別情報表示制御手段（装飾図柄表示制御手段２１５２ａ）
を管理する副遊技部（サブ基板）と
を有している。